(57)【要約】【課題】  運搬や保管時に作業台を扁平に折り畳むとき、手摺支柱の先端が開放端にならないようにして、手摺支柱の先端部に外力が加わっても曲がりなどの変形が生じることを防止でき、次に手摺を組み立てにくくなったり、手摺枠の手摺支柱へのロックが掛けにくくなることを防げる。【解決手段】  他の作業台の踏板ユニットと中間足場板７で連結可能な手摺付き作業台において、前記手摺枠１７を手摺支柱４の途中に基端が回動自在に軸着するステイ１３と、平面コ字形で前記ステイ１３の先端に回動自在に組み合わさりコ字形の開口端が手摺支柱４の上端に着脱自在でかつ回動自在に係止する手摺枠本体１２とで構成し、前記ステイ１３の基端の手摺支柱４への軸着個所を手摺支柱４の下から約２分の１の高さ位置と、その下方で下から約３分の１の高さ位置との２箇所に設けた。【選択図】        図３
2005273303.tif 000002
【特許請求の範囲】
【請求項１】
上部に手摺支柱を延設した一対の支柱脚間に複数の踏桟を適宜間隔で取り付けて梯子枠を形成し、この梯子枠の一対を対向させ上端を相互に回動自在に軸着し、支柱脚の上部位置で梯子枠間に踏板ユニットを折り畳み自在に掛け渡し、手摺支柱の上部に、一対の梯子枠のそれぞれの外方に向けて突出する手摺枠を折り畳み自在に取り付け、他の作業台の踏板ユニットと中間足場板で連結可能な手摺付き作業台において、前記手摺枠を手摺支柱の途中に基端が回動自在に軸着するステイと、平面コ字形で前記ステイの先端に回動自在に組み合わさりコ字形の開口端が手摺支柱の上端に着脱自在でかつ回動自在に係止する手摺枠本体とで構成し、前記ステイの基端の手摺支柱への軸着個所を手摺支柱の下から約２分の１の高さ位置と、その下方で下から約３分の１の高さ位置との２箇所に設けたことを特徴とする手摺付き作業台。
【請求項２】
前記手摺枠本体およびステイと手摺支柱との軸着部は、手摺支柱側に連結ピンをそれぞれ設け、手摺枠本体およびステイ側に取付金具をそれぞれ設けたことを特徴とする請求項１または請求項２に記載の手摺付き作業台。
【発明の詳細な説明】
【技術分野】
【０００１】
この発明は、建築工事現場、建築物の天井や壁面などの内外装作業、電気配線作業などの高所作業に使用する手摺付き作業台に関するものである。
【背景技術】
【０００２】
作業台として、従来、周知のように複数の踏桟を適宜間隔で取り付けた梯子状の一対の脚部の上端を回動自在に軸着し、軸着部である最上段の部分に踏板を設け、軸着部を回動することで一対の脚部を開閉すると同時に踏板を折り畳みまたは開いて使用し、または不使用時に収納するようにしたものがある（例えば特許文献１参照）。
【０００３】
ところが、踏板は前記のように三角形の２辺に位置する梯子状の脚部の頂点に位置する梯子の最上段に設けられるものであるため、人が立てるだけの狭い面積しか確保できない。さらに、踏板に立った状態では、手摺などの手掛かりとなるものがないため、不安定な状態で作業することになり、踏板から転落するなどの危険発生のおそれもあり、安全面で問題があった。
【０００４】
かかる不都合を解消するものとして、例えば図７、図８に示すように転落防止手段として手摺を設けた作業台５がある（特許文献１参照）。これは、一対の梯子枠３と、この梯子枠３間に折り畳み自在に架け渡した踏板ユニット６と、一対の梯子枠３の上部に折り畳み自在にそれぞれ取り付けた手摺枠８、９とで脚立状の作業台５を構成する。
【０００５】
前記梯子枠３は、一対の支柱脚１、１の間に適宜間隔で複数本の踏桟２を架け渡し、支柱脚１の上端から手摺支柱４を上方に向けて延設したもので、支柱脚１、手摺支柱４ともに材質としては例えばアルミニウム合金を使用し、断面コ字形に形成した。
【０００６】
支柱脚１は上部主脚１ａと下部主脚１ｂとに分割し、上部主脚１ａの下端と下部主脚１ｂの上端とを連結金具１０で回動自在に連結し、下部主客１ｂを上部主脚１ａに対して上方に回動自在に組み合わせた。
【０００７】
支柱脚１の上端部に位置させて、対向する支柱脚１、１の間に踏板ユニット６を回動自在に取り付ける。この踏板ユニット６は、踏板６ａと、この踏板６ａを下方から支承するステイ６ｂとで構成し、ステイ６ｂは一端を踏板６ａの下部のほぼ中央位置に回動自在に軸着し、他端を支柱脚１の上端部または手摺支柱４の下端部、または支柱脚１と手摺支柱４との境界部に取付金具で回動自在に軸着する。
【０００８】
踏板６ａは、ステイ６ｂが重合されない側の端部を、取付金具で支柱脚１の上端部または手摺支柱４の下端部、または支柱脚１と手摺支柱４との境界部に回動自在に軸着する。
【０００９】
手摺支柱４、４の上端部は突き合わせて、矩形状の回転金具１１で回動自在に結合する。図中１４は支柱脚１の下部に伸張自在に取り付けた延長脚を示す。
【００１０】
かかる手摺付きの作業台５において、図１０にも示すように前記梯子枠３の上部の手摺支柱４に取り付ける手摺枠８、９は、手摺支柱４の途中に回動軸着部１３ｂにより基端が回動自在に軸着するステイ１３と、このステイ１３の先端に回動軸着部１３ａにより回動自在に組み合わさり開口端部が手摺支柱４の上端に着脱自在に係止する手摺枠本体１２とで構成し、アルミニウム合金などを用い、手摺枠本体１２は円筒の中空に形成した型材を平面コ字形に形成した。
【００１１】
そして、手摺支柱４の上端の内側に手摺枠本体１２の先端に形成した切欠きが着脱自在に係止する係止ピン１５を設け、手摺枠本体１２の開口端に前記切欠きの係止ピンへの係止の解除を阻止するストッパー１６を設けた。
【００１２】
作業台５が使用される状態では、図７、図８および図１０の実線で示すように手摺枠本体１２が手摺支柱４の先端から水平に突出し、手摺枠本体１２の先端の切欠きが係止ピン１５に係止し、ストッパー１６で手摺支柱４に固定されている。
【００１３】
ところで、図９に示すようにこのような作業台５を複数設置し、作業台５の踏板６ａに中間足場板７である渡板を架け渡し作業台５を連結して使用することもあり、この場合は、踏板６ａから中間足場板７への移動の妨げにならないように中間足場板７が連結される側の手摺枠８（９）を図１０の右側のように下方に折り畳んで収納状態とする。
【００１４】
例えば手摺枠９を収納状態に折り畳むには、図１０の鎖線で示すように手摺枠本体１２の先端に形成してある切欠きを手摺支柱４に突設した係止ピン１５から外し、ステイ１３を手摺支柱４との回動軸着部１３ｂを中心にして下方に回動することで、ステイ１３に回動自在に軸着した手摺枠本体１２を下方に回動する。
【００１５】
これにより、ステイ１３と手摺枠本体１２は平行に折り畳まれた状態で手摺支柱４の内側に納まる。
【００１６】
また、作業台５を運搬、保管する場合なども、前記と同様にして手摺枠８、９を下方に折り畳んだうえで、さらに図１１、図１２に示すように連結金具１０を介して下部主脚１ｂを上部主脚１ａの側に折り畳み手摺支柱４と重合させる。また、踏板ユニット６も梯子枠３との軸着部を中心にして上方に回動し、対向する梯子枠３との間にこれと平行に折り畳まれる。
【００１７】
この状態で手摺枠８、９は手摺支柱４の内側に納まって、支柱脚１で挟まれた状態となる。
【００１８】
【特許文献１】特開２００３−７４２９号公報
【発明の開示】
【発明が解決しようとする課題】
【００１９】
前記のような構成の手摺枠では、作業台を運搬、保管する場合も中間作業板を連結する場合と同様にして手摺枠の開口端が手摺支柱の先端から外されてステイを介して下方に垂れ下がるようにして手摺支柱の内側に納まるため、この状態では手摺支柱の先端は、開放端となる。
【００２０】
このため、運搬、保管時に手摺支柱の先端に外力が加わると、変形を生じる。特に、運搬中は外力により手摺支柱の先端が内側すなわち踏板ユニット側に曲がりやすく、曲がりを生じると次の使用時に手摺を組み立てにくくなり、さらに、手摺枠本体の先端を手摺支柱に係止するストッパーが掛けにくくなる不都合がある。
【００２１】
また、運搬中や保管中は作業台を段積みするが、１０〜２０段の多段積みであるため、下段の作業台は上段の製品重量を受けて手摺支柱にねじれを生じ、組み立て不可能になることもある。
【課題を解決するための手段】
【００２２】
この発明は前記従来例の不都合を解消するため、請求項１に記載の発明は、上部に手摺支柱を延設した一対の支柱脚間に複数の踏桟を適宜間隔で取り付けて梯子枠を形成し、この梯子枠の一対を対向させ上端を相互に回動自在に軸着し、支柱脚の上部位置で梯子枠間に踏板ユニットを折り畳み自在に掛け渡し、手摺支柱の上部に、一対の梯子枠のそれぞれの外方に向けて突出する手摺枠を折り畳み自在に取り付け、他の作業台の踏板ユニットと中間足場板で連結可能な手摺付き作業台において、前記手摺枠を手摺支柱の途中に基端が回動自在に軸着するステイと、平面コ字形で前記ステイの先端に回動自在に組み合わさりコ字形の開口端が手摺支柱の上端に着脱自在でかつ回動自在に係止する手摺枠本体とで構成し、前記ステイの基端の手摺支柱への軸着個所を手摺支柱の下から約２分の１の高さ位置と、その下方で下から約３分の１の高さ位置との２箇所に設けたことを特徴とする。
【００２３】
請求項１記載の本発明によれば、作業台を保管、運搬する場合は、手摺枠本体の開口端を手摺支柱の先端から外さずに取り付けたままの状態で、ステイの基端を手摺支柱の下から約３分の１の高さ位置に軸着すれば、手摺枠は手摺支柱間に扁平に折り畳まれる。そして、このように手摺枠本体の先端を手摺支柱の先端に取り付けたままの状態で手摺枠を折り畳めるから、手摺支柱の先端が開放端となることがなく、この部分に外力が加わっても変形しにくく、再度の組み立てが不可能になったり、手摺枠の手摺支柱へのストッパーが掛けられなくなるおそれもない。
【００２４】
請求項２に記載の発明は、前記手摺枠本体およびステイと手摺支柱との軸着部は、手摺支柱側に連結ピンをそれぞれ設け、手摺枠本体およびステイ側に取付金具をそれぞれ設けたことを特徴とする。
【００２５】
請求項２に記載の本発明によれば、手摺支柱へのステイの軸着個所は、中間足場板を連結する場合と、運搬、保管するときとで上下位置で異なるが、ステイに取り付けた取付金具を手摺支柱に設けた連結ピンにそれぞれ係止しまたは外すだけでよいから、位置変更の作業が容易である。また、手摺枠本体の手摺支柱への着脱も同様にして手摺支柱の先端に設けた連結ピンに手摺枠本体に設けた取付金具を着脱するだけでよいから、容易に行える。
【発明の効果】
【００２６】
この発明は、作業台の手摺支柱の先端に平面コ字形の手摺枠本体の開口端を着脱自在に取り付けた手摺付き作業台において、運搬や保管時に作業台を扁平に折り畳むとき、手摺枠本体の開口端を手摺支柱の先端から外す必要がなく、そのままの状態で作業台を折り畳めるから、手摺支柱の先端が開放端にならない。よって、手摺支柱の先端部に外力が加わっても曲がりなどの変形が生じることを防止でき、次に手摺を組み立てにくくなったり、手摺枠の手摺支柱へのロックが掛けにくくなることを防げる。
【００２７】
特に、運搬や保管中に多段積みした場合、上段の製品の重量を受ける下段の手摺支柱において、ねじれが生じることを防止できるものである。
【発明を実施するための最良の形態】
【００２８】
以下、図面についてこの発明の実施の形態を詳細に説明する。図１はこの発明の手摺付き作業台の実施形態を示す組み立てた状態の要部である手摺枠の部分の側面図、図２は同上正面図で、この発明の手摺付き作業台の全体の基本構成は図７〜図１２に示した従来例と同様であるから、同一の構成要素には同一の参照符号を付して詳細な説明は省略する。
【００２９】
この発明の手摺付き作業台５も、一対の梯子枠３と、この梯子枠３間に折り畳み自在に架け渡した踏板ユニット６と、一対の梯子枠３の上部に折り畳み自在にそれぞれ取り付けた手摺枠１７、１７とで構成する。
【００３０】
梯子枠３は従来と同様に一対の支柱脚１、１の間に適宜間隔で複数本の踏桟２を架け渡し、支柱脚１の上端から手摺支柱４を上方に向けて延設したもので、支柱脚１、手摺支柱４ともに材質としては例えばアルミニウム合金を使用し、断面コ字形に形成した。
【００３１】
前記手摺枠１７の構造として、この発明も従来と同様に手摺支柱４の途中に基端が上下に回動自在に軸着するステイ１３と、このステイ１３の先端に回動自在に組み合わさり開口端部が手摺支柱４の上端に着脱自在に係止する手摺枠本体１２とで構成し、アルミニウム合金などを用い、手摺枠本体１２は円筒の中空に形成した型材を平面コ字形に形成した。この場合、ステイ１３の手摺枠本体１２への軸着部は手摺枠本体１２の水平方向への突出部のほぼ中央位置とする。
【００３２】
手摺枠本体１２の先端の開口端に手摺支柱４への着脱部となる取付金具１８を設け、手摺支柱４の先端に前記取付金具１８が着脱自在に係止する連結ピン１９を突設した。
【００３３】
ステイ１３の手摺支柱４への軸着部には取付金具２０を設け、手摺支柱４には前記取付金具２０が着脱自在に係止する連結ピン２１、２２を上下位置に２段に設ける。
【００３４】
上部の連結ピン２１は、手摺支柱４に対して手摺枠１７を組み立てた状態でステイ１３の基端が手摺支柱４に係止される位置に設けたものであり、下部の連結ピン２２は、運搬や保管時に手摺枠本体１２を手摺支柱４に対して平行に折り畳んだ状態でステイ１３の基端が手摺支柱４に係止される位置に設けたものであり、図示の例では連結ピン２１が手摺支柱４のほぼ中央の高さ位置に、連結ピン２２が手摺支柱４の下から約３分の１の高さ位置に設けられる。
【００３５】
次に使用法を説明する。作業台５を単独で使用するときは、図１、図２に示すようにステイ１３の基端に設けた取付金具２０を手摺支柱４に設けた連結ピンのうち上部の連結ピン２１に係止し固定する。この状態で手摺枠１７の手摺枠本体１２を水平に引き出して手摺枠本体１２の開口端に設けた取付金具１８を手摺支柱４の先端に設けた連結ピン１９に係止し固定する。
【００３６】
これにより、手摺枠本体１２が手摺支柱４の上端から外側に向けて水平に突出し、踏板６ａ上で作業する者の安全を確保する。
【００３７】
対向して設置した作業台５の踏板６ａに中間足場板７である渡板を連結して大きな作業面積を確保する場合には、図３、図４に示すようにステイ１３の基端は取付金具２０を上部の連結ピン２１に係止したままの状態で、手摺枠本体１２の取付金具１８を手摺支柱４の上端の連結ピン１９から外して手摺枠本体１２をフリーな状態とし、手摺枠本体１２とステイ１３とを、ステイ１３と手摺支柱４との軸着部を中心にして下方に回動する。
【００３８】
同時に手摺枠本体１２とステイ１３とを平行にして扁平に折り畳み、手摺支柱４の内側に収める。これにより、対向する手摺支柱４、４間に手摺枠１７が突出することがなくなり、踏板６ａから中間足場板７へと支障なく移動できる。
【００３９】
作業台５を運搬、保管するために全体を扁平に折り畳む場合は、図５、図６に示すように、手摺枠本体１２の開口端に設けた取付金具１８と手摺支柱４の上端に設けた連結ピン１９との連結を解除せずにそのままの状態としておき、ステイ１３の基端に設けた取付金具２０を上部の連結ピン２１から外して下部の連結ピン２２に盛り変える。
【００４０】
これにより、ステイ１３の基端が下方に引き下げられることになり、これに追随してステイ１３の先端に軸着されている手摺枠本体１２も手摺支柱４との取付金具１８および連結ピン１９による軸着部を中心軸にして下方に回動し、引き下げられる。
【００４１】
よって、手摺枠本体１２の下半分とステイ１３の約３分の１上部分とが重合した状態で手摺支柱４の内側にこれと平行して扁平に折り畳まれる。この状態で支柱脚１も半分に折り曲げ全体を扁平に折り畳んでも、手摺支柱４の先端には手摺枠本体１２の端部が連結されているから、完全な開放端とはならず、運搬や保管時に外力が加わっても変形することが阻止される。
【００４２】
また、多段積みして下段の作業台５に上段の作業台５の重量が加わっても、手摺支柱４がねじれることがない。
【図面の簡単な説明】
【００４３】
【図１】この発明の手摺付き作業台の実施形態を示す組み立てた状態の要部の側面図である。
【図２】この発明の手摺付き作業台の実施形態を示す組み立てた状態の要部の正面図である。
【図３】この発明の手摺付き作業台の実施形態を示す中間足場板を連結する状態の要部の側面図である。
【図４】この発明の手摺付き作業台の実施形態を示す中間足場板を連結する状態の要部の正面図である。
【図５】この発明の手摺付き作業台の実施形態を示す運搬や保管時に手摺枠を折り畳んだ状態の要部の側面図である。
【図６】この発明の手摺付き作業台の実施形態を示す運搬や保管時に手摺枠を折り畳んだ状態の要部の正面図である。
【図７】従来の手摺付き作業台の斜視図である。
【図８】従来の手摺付き作業台の側面図である。
【図９】従来の手摺付き作業台の中間足場板を連結した状態の斜視図である。
【図１０】従来の手摺付き作業台の要部である手摺枠の部分の側面図である。
【図１１】従来の手摺付き作業台の折り畳んだ状態の側面図である。
【図１２】従来の手摺付き作業台の折り畳んだ状態の正面図である。
【符号の説明】
【００４４】
１  支柱脚
１ａ  上部主脚
１ｂ  下部主脚
２  踏桟
３  梯子枠
４  手摺支柱
５  作業台
６  踏板ユニット
６ａ  踏板
６ｂ  ステイ
７  中間足場板
８  手摺枠
９  手摺枠
１０  連結金具
１１  回転金具
１２  手摺枠本体
１３  ステイ
１３ａ  回動軸着部
１４  延長脚
１５  係止ピン
１６  ストッパー
１７  手摺枠
１８  取付金具
１９  連結ピン
２０  取付金具
２１  連結ピン
２２  連結ピン
【図１】
2005273303.tif 000003
【図２】
2005273303.tif 000004
【図３】
2005273303.tif 000005
【図４】
2005273303.tif 000006
【図５】
2005273303.tif 000007
【図６】
2005273303.tif 000008
【図７】
2005273303.tif 000009
【図８】
2005273303.tif 000010
【図９】
2005273303.tif 000011
【図１０】
2005273303.tif 000012
【図１１】
2005273303.tif 000013
【図１２】
2005273303.tif 000014